(57)【要約】【課題】  基層（６）の表面（６ａ）及び両側面（６ｂ）のみならず裏面（６ｃ）の両側縁部をも化粧層（８）及び表面シート層（１０）で覆った形態、従って両側面と裏面との境界領域近傍において化粧層に欠けが発生することが充分に防止されている形態であるにもかかわらず、下地（４）の表面に建築用ボード（２）を取り付けた後に充分容易に表面シート層を剥離して化粧層を露呈せしめることができる建築用ボードを提供する。【解決手段】  化粧層に積層された表面シート層の両側面の下端部に沿って延びる破断ライン（１２）を表面シート層に形成する。【選択図】          図１
2005336868.tif 000002
【特許請求の範囲】
【請求項１】
矩形板状基層、該基層に積層された化粧層及び該化粧層に剥離自在に積層された表面シート層から構成された建築用ボードにおいて、
該化粧層及び該表面シート層は、該基層の表面及び両側面と共に該基層の裏面両側縁部を覆っており、該表面シート層には、両側面の下端縁に沿って延びる破断ラインが形成されている、ことを特徴とする建築用ボード。
【請求項２】
該破断ラインは完全切断ラインである、請求項１記載の建築用ボード。
【請求項３】
該破断ラインは完全切断部と被切断部とが交互に存在するミシン目ラインである、請求項１記載の建築用ボード。
【請求項４】
該化粧層は硬化性組成物の混練物を乾燥せしめて生成された固化物から成る、請求項１から３までのいずれかに記載の建築用ボード。
【請求項５】
該表面シート層は不織布から成る、請求項１から４までのいずれかに記載の建築用ボード。
【発明の詳細な説明】
【技術分野】
【０００１】
本発明は、建築用ボード、更に詳しくは矩形板状基層、この基層の積層された化粧層及び化粧層に積層された表面シート層から構成された建築用ボードに関する。
【背景技術】
【０００２】
建築物の内装材或いは外装材として、下記特許文献１に開示されている如く、矩形板状基層、この基層に積層された化粧層及び化粧層に積層された表面シート層から構成された建築用ボードが提案され、実用に供されている。化粧層は硬化性組成物の混練物を乾燥せしめて生成される固化部であるのが好都合であり、かような化粧層を保護するための表面シート層は例えば不織布から成る。
【特許文献１】特開平１０−２３５８２２号公報
【発明の開示】
【発明が解決しようとする課題】
【０００３】
上記形態の建築用ボードを建築物の内装或いは外装に使用する場合、目地の形態を所謂目透かしにせしめて、即ち隣接する建築用ボードの側面間に幾分かの間隔を生成して、複数個の建築用ボードを配設することが少なくない。かかる場合には建築用ボードの表面のみならず両側面も露呈する故に、化粧層は基層の表面のみならず両側面にも積層されていることが必要であり、従って化粧層を保護するための表面シート層も化粧層と共に基層の両側面を覆うことが必要である。然るに、化粧層及び表面シート層を基層の表面と共に両側面を覆う形態にした場合、本発明者等の経験によれば、建築用ボードの搬送或いは取り付けの際に、両側面と裏面との境界領域近傍において化粧層に欠けが発生されてしまう虞がある。かかる欠けは目地の形態が目透かしである場合、目視され得るものである故に許容され得ない欠陥になる。
【０００４】
化粧層における上述した欠けの発生を回避するためには、基層の表面及び両側面と共に裏面の両側縁部をも化粧層及び表面シート層で覆うことが意図される。しかしながら、かような構成を単にそのまま採用した場合には、次のとおりの問題が発生する。建築用ボードを建築物の下地に取り付ける際には、建築用ボードの裏面を接着材によって下地の表面に接合する。かくすると、化粧層及び表面シート層の端縁は建築用ボードに覆い隠されてしまうことになり、下地の表面に建築用ボードを取り付けた後に表面シート層を剥離して化粧層を露呈せしめることが不可能乃至著しく困難になる。
【０００５】
本発明は上記事実に鑑みてなされたものであり、その主たる技術的課題は、基層の表面及び両側面のみならず裏面の両側縁部をも化粧層及び表面シート層で覆った形態、従って両側面と裏面との境界領域近傍において化粧層に欠けが発生することが充分に防止されている形態であるにもかかわらず、下地の表面に建築用ボードを取り付けた後に充分容易に表面シート層を剥離して化粧層を露呈せしめることができる、新規且つ改良された建築用ボードを提供することである。
【課題を解決するための手段】
【０００６】
本発明者等は、鋭意検討の結果、化粧層に積層された表面シート層の両側面の下端部に沿って延びる破断ラインを表面シート層に形成することによって、上記主たる技術的課題を達成することができることを見出した。
【０００７】
即ち、本発明によれば、上記技術的課題を達成する建築用ボードとして、矩形板状基層、該基層に積層された化粧層及び該化粧層に剥離自在に積層された表面シート層から構成された建築用ボードにおいて、
該化粧層及び該表面シート層は、該基層の表面及び両側面と共に該基層の裏面両側縁部を覆っており、該表面シート層には、両側面の下端縁に沿って延びる破断ラインが形成されている、ことを特徴とする建築用ボードが提供される。
【０００８】
該破断ラインは完全切断ライン或いは完全切断部と被切断部とが交互に存在するミシン目ラインでよい。該化粧層は硬化性組成物の混練物を乾燥せしめて生成された固化物から成り、該表面シート層は不織布から成るのが好都合である。
【発明の効果】
【０００９】
本発明の建築用ボードにおいては、下地の表面に取り付けた後において、露呈している破断ラインから表面シート層の剥離を開始することができ、従って表面及び両側面において化粧層から表面シートを充分容易に剥離し化粧層を露呈せしめることができる。裏面の両側縁部においては化粧層上に表面シート層が残留せしめられるが、かかる部位は目視し得ない部位であり、表面シートが残留せしめられても全く問題ない。
【発明を実施するための最良の形態】
【００１０】
以下、添付図面を参照して、本発明に従って構成された建築用ボードの好適実施形態について、更に詳細に説明する。
【００１１】
図１は、本発明に従って構成された建築用ボード２を建築物の下地４の表面に目地を目透かし形態にして、即ち隣接する建築ボード２の側面間に幾分かの間隔Ｄを生成して、取り付けた状態を図示している。
【００１２】
本発明に従って構成された建築ボード２は、基層６、化粧層８及び表面シート層１０から構成されている。例えば２４０ｃｍ×６０ｃｍの寸法でよい矩形板形状である基層６は、建築物の下地ボードとして広く一般に使用されている材料、例えば石膏ボード、珪酸カルシウムボード、石綿セメント珪酸カルシウムボード、木質合板、鋼板、木毛セメントボード、中空セメントボード、発泡セメントボード、コンクリートボード、モルタルボード等から形成することができる。
【００１３】
基層６に積層されている化粧層８は、基層６の表面６ａ及び両側面６ｂと共に裏面６ｃの両側縁部を覆っている。基層６の裏面６ｃの中央部及び基層６の両端面（図示していない）上には化粧層が存在しない。化粧層８は、硬化性組成物と水とを混練して形成した混練物を乾燥して生成した固化物から形成されているのが好都合である。混練物の形成に使用する硬化性組成物は、乾燥によって固化される無機系硬化性組成物であるのが好都合である。好適に用いられる無機系硬化性組成物としては、水酸化カルシウム、硫酸カルシウム及び酸化マグネシウム等の硬化性化合物に適宜の添加材を添加したもの、特に、左官用消石灰、漆喰、ドロマイトプラスターの如き水酸化カルシウムを主成分とする硬化性組成物、殊に、水酸化カルシウムに水性エマルジョンを添加したもの、を挙げることができる。更に、必要に応じて、短繊維、無機細骨材、微粒子、増粘剤、流動化剤、消泡剤等を添加することができる。
【００１４】
表面シート層１０は化粧層８の全面に剥離自在に積層され、従って化粧層８と共に基層６の表面６ａ及び両側面６ｂと共に裏面６ｃの両側縁部を覆っている。かかる表面シート層１０は、不織布、耐水合成紙、微多孔性樹脂シートの如き通気性シートから形成することができる。特に好適な表面シート層１０としてはポリエチレンテレフタレート繊維及びポリプロピレン繊維とから形成した不織布を挙げることができる。
【００１５】
本発明に従って構成された建築用ボード２においては、表面シート層１０に両側面の下縁に沿って延びる破断ライン１２が形成されていることが重要である。かかる破断ライン１２は表面シート層１０を両側面の下縁に沿って厚さ方向に完全に切断することによって形成された完全切断ラインであるのが好適である。完全切断ラインに代えて、両側面の下縁に沿って完全切断部と非切断部とが交互に存在するミシン目から破断ライン１２を構成することもできる。例えば上記特許文献１に開示されている方法に従って基層６に化粧層８及び表面シート層１０を積層することができるが、破断ライン１２は基層６に化粧層８及び表面シート層１０を積層した後に表面シート層１０に切断刃（図示していない）を作用せしめることによって好都合に形成することができる。
【００１６】
上述したとおりの建築用ボード２は、図１に図示する如く、適宜の接着剤１４によって建築物の下地４上に接合することができる。そして、下地４上に建築用ボード２を接合した後に、図１に二点鎖線で図示する如く、破断ライン１２の部位から表面シート層１０の剥離を開始して化粧層８から表面シート１０を剥離し、かくして建築用ボード２の表面及び両側面において化粧層８を露呈せしめることができる。かような表面シート層１０の剥離は、破断ライン１２が形成されている故に、充分容易に遂行することができる。表面シート層１０の、基層６の裏面６ｃの両側縁部を覆っている部分は化粧層８から剥離されることなくそのまま残留せしめられるが、表面シート層１０のかかる部分は目視され得ない故にそのまま残留せしめられても何ら問題ない。
【００１７】
表面シート層１０自体の表面も充分に良好な外観を呈している場合、所望ならば、下地４上に建築用ボード２を取り付けた後に直ぐに表面シート層１０を化粧層８から剥離することなく、表面シート層１０を仮化粧層として暫く利用し、そして表面シート層１０の表面が汚れた時に表面シート層１０を剥離することもできる。
【図面の簡単な説明】
【００１８】
【図１】本発明に従って構成された建築用ボードの好適実施形態を建築物の下地に取り付けた状態を示す断面図。
【符号の説明】
【００１９】
２：建築用ボード
４：建築物の下地
６：基層
８：化粧層
１０：表面シート層
１２：破断ライン
１４：接着剤
【図１】
2005336868.tif 000003